(57)【要約】本発明は複数のＬＥＤ２０が搭載されたバー１０に関し、バーが幅方向へ容易に曲がることができるように、バーの第１側面及び第２側面には複数の溝が形成され、第１側面に形成された複数の第１溝１２と第２側面に形成された複数の第２溝１３は相互交差されるように位置されることを特徴とする。【選択図】図１
2012523130.tif 000002
【特許請求の範囲】
【請求項１】
複数のＬＥＤが一列または複数の列に長く搭載されたバーにおいて、
前記バーが幅方向へ容易に曲がることができるように、前記バーの第１側面及び第２側面には複数の溝が形成され、
前記第１側面に形成された複数の第１溝と前記第２側面に形成された複数の第２溝は相互交差されるように位置されることを特徴とする曲面形成が自由なＬＥＤ搭載バー。
【請求項２】
複数のＬＥＤが一列または複数の列に長く搭載されたバーにおいて、
前記バーは、一つ以上の前記ＬＥＤが搭載される複数の装着部と、
前記複数の装着部を連結する曲線形態の連結部とを含むことを特徴とする曲面形成が自由なＬＥＤ搭載バー。
【発明の詳細な説明】
【技術分野】
【０００１】
本発明は複数のＬＥＤが搭載されたバーに関し、さらに詳しくは、必要な形態に容易にまげることができる曲面形成が自由なＬＥＤ搭載バーに関する。
【背景技術】
【０００２】
電子部品の小型化、及び電子製品のデザインが日々に多様化されるにつれて、電子部品を搭載したモジュールの形態も多様化している。例えば、広告分野または照明分野では、所望の文字または文様の照明を得るために、複数のＬＥＤを（ほとんど曲がらない）平面モジュールに対応する文字または対応する文様と同じ形態に配置する必要性が多くなっている。
【０００３】
しかし、照明分野または広告分野で用いられるバーは、図７に示すように、バーの上下方向へはよく曲がるが（図６ａ参照）、バーの側面方向へはほとんど曲がらないので（図６ｂ）、複数のＬＥＤを所望の形態に配置するためには、ＬＥＤが搭載された複数のバーを一つ一つ連結するか、またはバーを必要な形態に合わせて特別に製作しなければならないため、作業が煩雑、且つ費用及び時間がたくさん必要となる短所があった。
【発明の概要】
【発明が解決しようとする課題】
【０００４】
本発明は上記のような問題点を改善するためになされたもので、複数のＬＥＤが搭載されたバーを使用者の必要によって自在に曲げて複数のＬＥＤを所望の形態に配置することができる曲面形成が自由なＬＥＤ搭載バーを提供することをその目的とする。
【課題を解決するための手段】
【０００５】
上記目的を果たすための本発明の第１実施形態によれば、複数のＬＥＤが一列または複数の列に長く搭載されたバーにおいて、バーが幅方向へ容易に曲がることができるように、バーの第１側面及び第２側面には複数の溝が形成され、第１側面に形成された複数の第１溝と第２側面に形成された複数の第２溝は相互交差されるように位置されることを特徴とする曲面形成が自由なＬＥＤ搭載バーが提供される。
【０００６】
上記目的を果たすための本発明の第２実施形態によれば、複数のＬＥＤが一列または複数の列に長く搭載されたバーにおいて、バーは、一つ以上のＬＥＤが搭載される複数の装着部と、複数の装着部を連結する曲線形態の連結部とを含むことを特徴とする曲面形成が自由なＬＥＤ搭載バーが提供される。
【発明の効果】
【０００７】
本発明によるバーは、使用者が所望の形態に曲げることができるので、使用者がバーに搭載されたＬＥＤを所望の形態（例えば、円形）に配置することができる。
【０００８】
従って、本発明はＬＥＤが搭載された複数のバーを一々連結したり、またはバーを特別に製作しなくても、複数のＬＥＤを使用者が必要な形態に配置することができる。
【０００９】
同時に、本発明は複数のＬＥＤが搭載されたバーを自在に曲げることができるので、複数のＬＥＤが搭載されたバーを装置の形状に合わせて設置することが非常に便利であるとともに、バーの設置に必要な時間及び費用を大幅に減少させることができる。
【図面の簡単な説明】
【００１０】
【図１】本発明の第１実施形態によるＬＥＤ搭載バーの透視図である。
【図２】図１に示したＬＥＤ搭載バーの平面図である。
【図３】図１に示したＬＥＤ搭載バーの側面図である。
【図４】図１に示したＬＥＤ搭載バーの使用例を示した平面図である。
【図５】本発明の第２実施形態によるＬＥＤ搭載バーの平面図である。
【図６】従来のＬＥＤ搭載バーの使用例を示した図である。
【発明を実施するための形態】
【００１１】
本発明を、添付図面を参照して詳しく説明すれば次の通りである。
【００１２】
図１は本発明の第１実施形態によるＬＥＤ搭載バーの透視図であり、図２は図１に示したＬＥＤ搭載バーの平面図であり、図３は図１に示したＬＥＤ搭載バーの側面図であり、図４は図１に示したＬＥＤ搭載バーの使用例を示した平面図であり、図５は本発明の第２実施形態によるＬＥＤ搭載バーの平面図である。
【００１３】
第１実施形態
本発明によるＬＥＤ搭載バー１０は、ＬＥＤ２０、抵抗３０、電源端子４０を含む。
【００１４】
バー１０は、薄くて且つ長く延長された形態であり、所定の弾性と強度を有する材質で製作される（参照に、通常のＰＣＢと同じ材質に製作されることができる）。バー１０には複数のＬＥＤ２０、抵抗３０、電源端子４０及びその他電子部品が設置される。上記のように形成されたバー１０は、必要によって所定の長さ単位に切断されることができる。一方、バー１０の両側面には、複数の溝１２、１３が形成される。複数の溝１２、１３は、バー１０上で電子部品が搭載されない部分の側面に形成されることが好ましい。ここで、バー１０の第１側面（図１を基準としてバーの右側側面）に形成される溝１２とバーの第２側面（図１を基準としてバーの左側側面）に形成される溝１３は互いに交差するように形成され、バー１０が部分的にジグザグ形態になるようにする。
【００１５】
複数のＬＥＤ２０は、バー１０の長手方向に沿って所定間隔に設置され、抵抗３０は設置されるＬＥＤ２０の数とＬＥＤ２０の容量によってバー１０に設置される。そして、電源端子４０は、バー１０が切断されることができる最小長さ単位（例えば、ＬＥＤ２０が４つ当り１つの割合で）に設置される。
【００１６】
上記のように形成された本発明のバー１０は、任意のＬＥＤ２０が搭載されたバー１０の部分とこのＬＥＤ２０と隣接した他のＬＥＤ１０が搭載されたバー１０の部分が曲がり易いジグザグ形態に連結された構造であるので、複数のＬＥＤ２０を、図４に示すように、曲線形または円形に配置しやすい。
【００１７】
第２実施形態
第２実施形態によるバー１０は、電子部品またはＬＥＤ２０が搭載される複数の装着部１４と、装着部１４を連結する連結部１６とで構成される。
【００１８】
装着部１４は、バー１０の長手方向に沿って所定間隔に配置され、バー１０の使用目的によって必要な各種電子部品（ＬＥＤ２０、抵抗３０、電源端子４０）を搭載している。
【００１９】
連結部１６は、直線部分と曲線部分とが繰り返して連結されたジグザグ形態であり、装着部１４と装着部１４を連結する。連結部１６は、図５に示すように、直線部分の幅ｔ１と曲線部分の幅ｔ２が同一であることが好ましい。このように、直線部分と曲線部分の幅が同じであれば、直線部分と曲線部分の幅方向変形率が同一になるので、連結部１６が曲線部分のない第１実施形態に比べて幅方向へ偏差なく曲がりやすい。
【００２０】
従って、本実施形態は、バー１０を大きく曲げて設置しなければならない場合に非常に有利である。
【図１】
2012523130.tif 000003
【図２】
2012523130.tif 000004
【図３】
2012523130.tif 000005
【図４】
2012523130.tif 000006
【図５】
2012523130.tif 000007
【図６】
2012523130.tif 000008
【国際調査報告】
2012523130.tif 000009
2012523130.tif 000010
2012523130.tif 000011
2012523130.tif 000012